(57)【要約】【課題】遊技場の装飾効果を向上し得る遊技用椅子を提案する。【解決手段】背もたれ部が枠フレーム部と編物シート部１３Ａとから構成され、該枠フレーム部の開口部１２を覆う該編物シート部１３Ａが、表面と裏面とで異なる色彩を有するメッシュ状の編物生地１５Ａにより形成されたものであるから、着座する際に表面を見たときと通路側から背面を見たときとで遊技者に異なる印象を与えることができ、従来に無い装飾効果を生じさせ得る。さらに、回転した際に、他の常態のものと異なって見えることから、変化に富んだ多様な装飾性が発揮され得る。【選択図】図４
0003208480.tif 000002
【実用新案登録請求の範囲】
【請求項１】
脚部の上端に配設された着座水平部と、該着座水平部から起立した背もたれ部とを備え、遊技場に設けられた各遊技機に夫々対向するように配置される遊技用椅子において、
前記背もたれ部は、表裏方向に開口する開口部が形成された枠フレーム部と、該枠フレーム部に取り付けられて該開口部を覆う編物シート部とを備え、
前記編物シート部が、表面と裏面とで異なる色彩を有するメッシュ状の編物生地により形成されたものであることを特徴とする遊技用椅子。
【請求項２】
編物シート部の編物生地は、シングルラッセル編み製であり、遊技機に対面する表面と通路側の背面との一方が所定色で染色され且つ他方が該染色と異なる色で印刷されていることを特徴とする請求項１に記載の遊技用椅子。
【請求項３】
編物シート部の編物生地は、背面に、遊技機及び／又は遊技場の情報を示す図柄が印刷されていることを特徴とする請求項２に記載の遊技用椅子。
【請求項４】
編物シート部の編物生地は、
ポリエステル繊維によりメッシュ状に夫々編成された表側編み層と裏側編み層とを重ね合わせて形成されたものであって、
該表側編み層と裏側編み層との少なくとも一方がカチオン可染糸で編成され、該表側編み層と裏側編み層とが相互に異なる色で染色されていることを特徴とする請求項１に記載の遊技用椅子。
【請求項５】
編物シート部の編物生地は、一方向に連続する少なくとも二色の単色糸が交互に並列状に編成されたダブルラッセル編み製であり、遊技機に対面する表面または通路側の背面を、視角度に応じて前記各単色糸の色により異なる色彩が表現されるものとしたことを特徴とする請求項１に記載の遊技用椅子。
【請求項６】
編物シート部の編物生地は、
所定色の糸で構成される細帯状の表帯部と、該表帯部と異なる色の糸で構成される細帯状の裏帯部とを表裏で重ね合わせた帯状編み部が、並列状に編成されてなるダブルラッセル編み製であり、
一又は複数の帯状編み部の表帯部と裏帯部との一方に、他方を構成する糸が部分的に露出するように編み込まれ、該他方の糸の露出部位によって、遊技機及び／又は遊技場の情報を示す図柄が形成されていることを特徴とする請求項１に記載の遊技用椅子。
【考案の詳細な説明】
【技術分野】
【０００１】
本考案は、遊技場で、各遊技機に夫々対向して配される遊技用椅子に関する。
【背景技術】
【０００２】
パチンコ機やスロットマシン等の遊技機が設置される遊技場には、各遊技機に対向するように遊技用椅子が配置されており、遊技者が該遊技用椅子に座って遊技を行う。遊技用椅子としては、遊技場の床面に固定された脚部の上端に配設された着座水平部と、該着座水平部の後部から起立した背もたれ部とを備えたものが一般的であり、該着座水平部と背もたれ部とが一体的に回転可能となっている。
【０００３】
ところで、遊技場では、遊技者が一の遊技機で長時間継続して遊技を行う場合もあり、この場合には該遊技者が遊技用椅子に長時間座っていることとなる。このように長時間座っていると、背もたれ部が蒸れ易くなることから、該蒸れを抑制する構成の遊技用椅子が提案されている（例えば、特許文献１）。
【先行技術文献】
【特許文献】
【０００４】
【特許文献１】実用新案登録第３１４９６５１号公報
【考案の概要】
【考案が解決しようとする課題】
【０００５】
遊技場では、遊技機が遊技者の最も注目する対象であり、該遊技場全体の装飾効果を該遊技機が担っていた。しかし、この遊技機による装飾効果のみでは、該遊技場の装飾効果を向上させることに限界が生じていた。一方、遊技場に配設される遊技用椅子は、上述したように長時間の遊技で生ずる蒸れを抑制する等の機能面で効果を奏するものではあるものの、単なる備品でしかなく、遊技場の装飾を構成するものとしては、ほとんど扱われていなかった。そこで、本考案者は、遊技用椅子が遊技場に不可欠なものであり且つ設置台数も遊技機と同数で多いことに着目し、該遊技用椅子によって該遊技場の装飾効果を向上させることを発案した。
【０００６】
本考案は、遊技場の装飾効果を向上し得る遊技用椅子を提案することを目的とする。
【課題を解決するための手段】
【０００７】
本考案は、脚部の上端に配設された着座水平部と、該着座水平部から起立した背もたれ部とを備え、遊技場に設けられた各遊技機に夫々対向するように配置される遊技用椅子において、前記背もたれ部は、表裏方向に開口する開口部が形成された枠フレーム部と、該枠フレーム部に取り付けられて該開口部を覆う編物シート部とを備え、該編物シート部が、表面と裏面とで異なる色彩を有するメッシュ状の編物生地により形成されたものであることを特徴とする遊技用椅子である。
【０００８】
かかる構成によれば、背もたれ部の編物シート部が、遊技機に対面する表面と通路側の背面とに露出し且つ該表面と背面とで色彩が異なることから、通路側から背面を見たときと着座する際に表面を見たときとで異なる印象を与えることができ、従来に無い装飾効果を生じさせることができる。そして、遊技場では、本構成の遊技用椅子が多数並べられていることから、該遊技場における装飾効果を向上させることができる。また、上述したように遊技場では一般的に着座水平部と背もたれ部とが一体的に回転可能に設置されることから、遊技機に対向した常態から回転すると、通路側から背もたれ部の表面が見えるため、他の常態のものと異なって見える。そのため、常態の遊技用椅子と前記回転した遊技用椅子とが並ぶと、通路側に、従来に無い装飾性を生じさせ得る。そして、遊技用椅子の回転は各遊技機で遊技者によって不規則に生ずることから、変化に富んだ多様な装飾性が発揮され、遊技場の装飾効果を一層向上できる。さらに、前記のように回転した遊技用椅子は他の常態のものと異なる色彩で見えることから、空席を見つけ易くなるという優れた効果も奏し得る。
【０００９】
また、本構成は、編物シート部がメッシュ状であることから、開口部を介して高い通気性を発揮でき、背もたれ部の蒸れを抑制する効果も奏し得る。
【００１０】
上述した本考案の遊技用椅子にあって、編物シート部の編物生地は、シングルラッセル編み製であり、遊技機に対面する表面と通路側の背面との一方が所定色で染色され且つ他方が該染色と異なる色で印刷されている構成が提案される。
【００１１】
かかる構成にあって、編物生地は、その表面と背面とを染色と印刷という異なる手法で着色することにより、該表面と背面との境界を明確化できるため、該表面と背面とが互いに異なる色彩ではっきりと区別して表現される。したがって、本構成によれば、上述した本考案の作用効果を一層安定して発揮できる。
【００１２】
上述した本考案の遊技用椅子にあって、編物シート部の編物生地は、背面に、遊技機及び／又は遊技場の情報を示す図柄が印刷されている構成が提案される。
【００１３】
かかる構成にあっては、遊技機及び／又は遊技場の情報の図柄を印刷したものであるから、該図柄を明確に表現できると共に、比較的複雑な形態の図柄であっても正確かつ容易に印刷可能である。そして、かかる構成によれば、編物シート部の背面に前記図柄が露出することから、該図柄の示す情報を、通路を通行する遊技者に報知できると共に、該情報の報知効果（宣伝効果）も高い。また、編物生地の背面を所定色で印刷する際に、前記図柄の印刷を実行できることから、該図柄の印刷を効率的かつ容易に行うことができると共に、該図柄の形態を適宜変更することも容易である。そのため、遊技場毎に異なる情報の図柄を表示するようにしたり、異なる形態の図柄を表示した椅子を設置したりすることによって、各図柄に応じた特色を付加することも可能である。
【００１４】
上述した本考案の遊技用椅子にあって、編物シート部の編物生地は、ポリエステル繊維によりメッシュ状に夫々編成された表側編み層と裏側編み層とを重ね合わせて形成されたものであって、該表側編み層と裏側編み層との少なくとも一方がカチオン可染糸で編成され、該表側編み層と裏側編み層とが相互に異なる色で染色されている構成が提案される。
【００１５】
かかる構成にあって、編物生地は、表側編み層と裏側編み層とがはっきりと区別化されて夫々染色され、表裏の各層の境界も明確に表現される。詳述すると、表側編み層と裏側編み層との一方をカチオン可染糸で編成した構成では、該カチオン可染糸をカチオン染料により所定色で染色すると共に、他方のポリエステル繊維を分散染料により該カチオン染料と異なる色で染色できる。又は、表側編み層と裏側編み層との両方をカチオン可染糸で編成した構成の場合には、互いに異なる色で染色されるカチオン可染糸を用いることで、表側編み層と裏側編み層とを互いに異なる色で染色できる。このように本構成によれば、編物生地の表面と背面とが互いに異なる色彩で夫々はっきりと表現されるため、上述した本考案の作用効果を一層安定して発揮できる。
【００１６】
上述した本考案の遊技用椅子にあって、編物シート部の編物生地は、一方向に連続する少なくとも二色の単色糸が交互に並列状に編成されたダブルラッセル編み製であり、遊技機に対面する表面または通路側の背面を、視角度に応じて前記各単色糸の色により異なる色彩が表現されるものとした構成が提案される。
【００１７】
かかる構成の編物生地にあっては、視角度（視る位置により異なる角度）によって、一の色の単色糸が強調されて見えたり、二の色の単色糸の両方が見えたりすること等で、表面または背面の色彩が変化して表現されるものである。本構成によれば、編物生地が、その表面と背面とで互いに異なる色彩を表現することに加え、表面または背面で、視角度に応じて異なる色彩が表現されることから、変化に富んだ斬新な装飾効果が生じ得る。
【００１８】
ここで、並列状に編成された単色糸が上下方向に連続する構成が好適である。かかる構成によれば、横方向の視る角度によって色彩が変化することから、遊技者に従来に無いカラフルな視覚的効果を生じさせ得る。例えば、視角度に応じて異なる色彩を表現する背面を備えた構成では、一般的な遊技場で互いに背向かいに二列に並設された場合に、左右の遊技用椅子の背面で異なる色彩が表現される。さらに、通路の通過中には、各遊技用椅子との距離が夫々変化することで視角度も変わっていくから、各遊技用椅子の背面の色彩も序々に変化するように見える。また、上述したように遊技用椅子は一般的に回転可能に設置されることから、表面または背面のいずれの構成であっても、その回転角度によって色彩が異なって見える。
【００１９】
上述した本考案の遊技用椅子にあって、編物シート部の編物生地は、所定色の糸で構成される細帯状の表帯部と、該表帯部と異なる色の糸で構成される細帯状の裏帯部とを表裏で重ね合わせた帯状編み部が、並列状に編成されてなるダブルラッセル編み製であり、一又は複数の帯状編み部の表帯部と裏帯部との一方に、他方を構成する糸が部分的に露出するように編み込まれ、該他方の糸の露出部位によって、遊技機及び／又は遊技場の情報を示す図柄が形成されている構成が提案される。
【００２０】
かかる構成にあっては、並列状に編成された帯状編み部の表帯部と裏帯部とが互いに異なる色の糸で構成されていることから、編物生地の表面と背面とが、互いに異なる色彩で一層はっきりと表現されるため、上述した本考案の作用効果を一層安定して発揮できる。さらに、表面または背面に、遊技機や遊技場の情報の図柄が表示されることから、該情報を遊技者に報知でき、報知効果（宣伝効果）も高い。ここで、前記情報を示す図柄は、互いに異なる糸で構成された表帯部と裏帯部との一方に、該表帯部と裏帯部との他方を構成する糸を部分的に露出させて形成されたものであるから、比較的容易かつ正確に形成することが可能であると共に、様々な形態の図柄を形成することも比較的容易に実施可能である。そのため、遊技場毎に異なる情報の図柄を形成したり、異なる形態の図柄を表示した椅子を設置したりすることによって、各図柄に応じた特色を付加することも可能である。
【考案の効果】
【００２１】
本考案の遊技用椅子は、着座する際に表面を見たときと通路側から背面を見たときとで異なる印象を与えることができ、従来に無い装飾効果を生じさせ得る。さらに、回転した際に、常態のものと異なって見えることから、変化に富んだ多様な装飾性を発揮することもできる。また、回転した椅子を見つけ易くなるため、空席を見つけ易いという優れた効果も奏し得る。
【図面の簡単な説明】
【００２２】
【図１】本考案にかかる遊技用椅子１を遊技場に配置した状態を示す説明図である。
【図２】遊技用椅子１の正面図である。
【図３】遊技用椅子１の背面図である。
【図４】実施例１の編物生地１５Ａの、（Ａ）表面と（Ｂ）背面とを示す説明図である。
【図５】実施例２の編物生地１５Ｂの、（Ａ）表面と（Ｂ）背面とを示す説明図である。
【図６】実施例３の編物生地１５Ｃの、（Ａ）表面と（Ｂ）背面とを示す説明図である。
【図７】実施例４の編物生地１５Ｄの、（Ａ）表面と（Ｂ）背面とを示す説明図である。
【考案を実施するための形態】
【００２３】
本考案の実施例を、添付図面を用いて詳述する。
図１は、遊技場に所定間隔をおいて列設された複数の遊技島８１を示し、各遊技島８１の両側には、パチンコ機またはスロットマシン等の遊技機９１が複数並んで設置されている。さらに、隣合う遊技島８１の間の床面８５上には、該遊技島８１の各遊技機９１に夫々対向するように、遊技用椅子１が配置されている。そして、隣合う遊技島８１の間で、背中合わせに配設された遊技用椅子１の間のスペースが、遊技者の通路８６となっている。尚、本実施例にあって、遊技用椅子１が遊技機９１に対向する常態で、該遊技機９１に対面する側を表側とし、通路８６側を背側（又は、裏側）として規定すると共に、通路８６に沿った方向を横方向としている。
【００２４】
遊技用椅子１は、図２，３に示すように、遊技場の床面８５に載置される円板状の基台５と、該基台５の中心から鉛直上方に立設された軸部７とから構成される脚部４を備える。そして、軸部７の上端に、遊技者が座る着座水平部３が配設され、該着座水平部３の後端から所定高さの背もたれ部２が起立する（図１参照）。さらに、遊技用椅子１は、着座水平部３が、前記軸部７を回転軸として回転可能であり、脚部４に対して着座水平部３と背もたれ部２とが一体的に回転できるものである。こうした着座水平部３の回転機構については、従来から公知のものを適用できることから、その詳細は省略する。
以下に、本考案の要部にかかる背もたれ部２を、各実施例１〜４で夫々説明する。尚、着座水平部３、脚部４は、この他にも、一般的に利用されている構造のものを適用可能であり、その詳細については省略する。
【実施例１】
【００２５】
遊技用椅子１の背もたれ部２は、図２，３に示すように、表裏方向に開口された略楕円形状の開口部１２が形成された枠フレーム部１１と、該開口部１２を覆う編物シート部１３Ａとを備えてなる。編物シート部１３Ａは、枠フレーム部１１に取り付けられた編物生地１５Ａにより形成されている。ここで、枠フレーム部１１は、図示しない表側のフレーム部材と裏側のフレーム部材とを接合することで形成されるものであり、編物生地１５Ａは、該表側のフレーム部材の表面側の全体を覆うように被着され、該編物生地１５Ａの外周端縁が表裏のフレーム部材間に挟み込まれて該枠フレーム部１１に取り付けられている。こうした本実施例の背もたれ部２は、表面全体に編物生地１５Ａの表面が露出すると共に、開口部１２を介して編物生地１５Ａの背面が裏側に露出する。
【００２６】
本実施例１の編物生地１５Ａは、図４に示すように、ポリエステル繊維でメッシュ状に編成されたシングルラッセル編み製のものであり、表面（図４（Ａ））と背面（図４（Ｂ））とが互いに異なる色となっている。この編物生地１５Ａは、無色または白系色のポリエステル繊維によりメッシュ状に編成し、該編成した生地の表面を所定色（例えば、赤色）で染色した後に、該表面をマスキングして、背面を該染色と異なる色（例えば、黒色）で印刷することによって、製造される。ここで、印刷する色は、染色後に着色する色であることから、染色の色よりも濃色としている。これにより、染色の際に背面に付着した染料と重なっても、該染料の色に影響を受けず、所望の色で背面をしっかりと着色できる。こうして着色された編物生地１５Ａは、表面の赤色と背面の黒色とがはっきりと区別して表現されると共に、該赤色と黒色との境界も比較的明確に表現される。尚、ポリエステル繊維の染色は、従来から公知の染色手段を適用できることから、その詳細を省略する。また、印刷の工程には、一般的なインクジェット式の印刷機やプリンタを用いることができる。そのため、印刷についても、その詳細を省略する。
【００２７】
さらに、本実施例にあっては、上記のように背面を印刷する際に、プリンタ等により遊技場の名称やパチンコ機やスロットマシンの名称などを示す図柄１７を印刷できる。すなわち、一度の印刷工程で、背面の着色と前記図柄１７の印刷とを実施できる。この図柄１７は、例えば、背面の色と異なる色で印刷するようにしても良いし、該図柄１７の部分のみを着色しないようにしても良い。ここで、背面の色と異なる色としては、表面と同色（例えば、赤色）や、表面の色とも異なる色とすることが可能である。
【００２８】
こうして着色された編物生地１５Ａは、図２，３に示すように、染色面を表側かつ印刷面を裏側として、枠フレーム部１１に取り付けられる。この取り付ける際には、上記した図柄１７を開口部１２内に位置させて該開口部１２から背方に露出するように、編物生地１５Ａを取り付ける。こうして枠フレーム部１１に取り付けた編物生地１５Ａにより、編物シート部１３Ａが形成される。
【００２９】
上述した実施例１の遊技用椅子１は、その背もたれ部２の表面が、編物生地１５Ａの表面により赤色であり、且つ該背もたれ部２の背面の、開口部１２から臨む部分が、該編物生地１５Ａの背面により黒色であることから、該背もたれ部２が表裏で互いに異なる色により表現されている。
【００３０】
この遊技用椅子１は、上述したように、遊技場で、遊技島８１に設置された遊技機９１に夫々対向するように配置される。そして、各遊技用椅子１は、常態で、背もたれ部２の表面が、対向する遊技機９１に対面し、かつ該背もたれ部２の背面が、通路８６に向いている。こうして遊技場に配置された遊技用椅子１は、遊技機９１側（表側）から見ると、図４（Ａ）のように背もたれ部２の表面の赤色が見え、通路８６側（背側）から見ると、図４（Ｂ）のように該背もたれ部２の開口部１２から臨む黒色が見える。そのため、遊技用椅子１は、遊技者が通路側から背面を見たときと、着座する際に表面を見たときとで、該遊技者に異なる印象を与えることができる。
【００３１】
さらに、遊技用椅子１は、着座水平部３と背もたれ部２とが一体的に回転可能であり、遊技者が着座し易くかつ離席し易くなっている。そのため、遊技用椅子１が、上記の常態（背もたれ部２の表面が遊技機９１に正対した状態）から回転すると、通路８６側から背もたれ部の表面（赤色）が見え、他の常態の遊技用椅子１の背面（黒色）に対して目立って見える。そして、遊技用椅子１の回転は不規則かつ唐突に生ずることから、通路８６側で背もたれ部の表面を赤色で見る態様が、予測不能かつ多様に発生する。このように本実施例１の遊技用椅子１は、従来に無い変化に富んだ多様な装飾性を発揮でき、遊技場の装飾効果を大きく向上できる。
【００３２】
また、遊技用椅子１は、上述したように、回転した際に赤色で目立って見えることから、該赤色で見えた場合に空席であることが明らかである。そのため、空席の遊技機９１を見つけ易くなるという優れた利点もある。
【００３３】
さらに、遊技用椅子１は、図３および図４（Ｂ）のように、背もたれ部２の背面に図柄１７が露出していることから、該図柄１７の示す情報を、通路を通行中の遊技者に報知でき、高い報知効果（宣伝効果）がある。ここで、遊技用椅子１は、上述した装飾効果を奏するものであり、遊技者の目を引く効果が高いため、該図柄１７の示す情報の報知効果が一層向上する。
【００３４】
また、背もたれ部２は、枠フレーム部１１の開口部１２を、メッシュ状の編物生地１５Ａで覆ったものであり、高い通気性を有する。そのため、遊技中に背もたれ部に生ずる蒸れを抑制することができる。
【実施例２】
【００３５】
実施例２の遊技用椅子１は、背もたれ部２の枠フレーム部１１に、表裏両面を染色により着色した編物生地１５Ｂ（図５）を取り付けたものであり、該編物生地１５Ｂで枠フレーム部１１の開口部１２を覆うことにより編物シート部１３Ｂが形成されている。尚、本実施例２は、編物生地１５Ｂが異なる以外は上述の実施例１と同じであることから、同じ構成要素には同じ符号を記し、その説明を適宜省略する。
【００３６】
編物生地１５Ｂは、図５に示すように、ポリエステル繊維によりメッシュ状の表側編み層２１ａと裏側編み層２１ｂとを夫々編成し、該表側編み層２１ａと裏側編み層２１ｂとを図示しない連結糸で表裏に重ね合わせて生地を形成し、その後、表側編み層２１ａと裏側編み層２１ｂとを異なる色で染色することよって、製造される。
【００３７】
本実施例２では、裏側編み層２１ｂを編成するポリエステル繊維に、所定色でカチオン染色されるカチオン可染糸を用いている。そして、表側編み層２１ａは、前記カチオン染色性を有しないポリエステル繊維により編成されている。この表側編み層２１ａと裏側編み層２１ｂとを重ねた生地を染色する工程では、カチオン染色するためのカチオン染料と分散染色するための染料とを混ぜた染色液に、当該生地を漬すことによって、表側編み層２１ａが分散染色され且つ裏側編み層２１ｂがカチオン染色される。ここで、カチオン染料を、所定色（例えば、黄色）で染色するものとし、分散染色の染料を、該カチオン染料と異なる色（例えば、赤色）で染色するものとする。これにより、染色工程では、裏側編み層２１ｂのカチオン可染糸がカチオン染料により黄色で染色されると共に、表側編み層２１ａのポリエステル繊維が分散染色の染料により赤色で染色される。こうして、赤色の表面と黄色の背面とからなる編物生地１５Ｂが得られる。尚、前記のカチオン染色と分散染色とによって二色に染色する工程は、従来から知られている手段を適用できることから、その詳細については省略する。
【００３８】
この編物生地１５Ｂは、上述したように、表側編み層２１ａが分散染色により赤色で染色され且つ裏側編み層２１ｂがカチオン染色により黄色で染色されたものであり、該表側編み層２１ａと裏側編み層２１ｂとがはっきりと区分けされ、さらに各層の境界も明確である。また、こうした染色の手段によれば、様々な色で表面と裏面とを夫々染色することができ、上述した実施例１のように一方を濃色とすることも必要無い。そのため、多様な色の組み合わせにより、表面と裏面とを染色することができ、遊技場や遊技機などに応じて所望の二色のものを容易かつ安定して製造できる。
【００３９】
こうした編物生地１５Ｂは、上述した実施例１と同様に、赤色の表側編み層２１ａを表側かつ黄色の裏側編み層２１ｂを背側として、枠フレーム部１１に取り付けられる。そして、枠フレーム部１１に取り付けた編物生地１５Ｂにより、編物シート部１３Ｂが形成される。
【００４０】
本実施例２の遊技用椅子１にあっても、上述した実施例１と同様に、遊技機９１側（表側）から見ると、背もたれ部２の表面の赤色が見え（図５（Ａ））、通路８６側（背側）から見ると、該背もたれ部２の開口部１２から臨む黄色が見える（図５（Ｂ））。そのため、遊技者に、通路８６側から背面を見たときと、着座する際に表面を見たときとで、異なる印象を与えることができる。また、常態から回転すると、通路８６側から背もたれ部２の表面が見え、他の常態のものよりも目立って見えることから、上述した実施例１と同様に、遊技場の装飾効果を大きく向上できると共に、空席を見つけ易くなるという利点も生ずる。このように本実施例２の構成にあっても、上述した実施例１と同様の作用効果を奏し得る。尚、実施例２の構成は、実施例１の図柄が無いものであることから、該図柄による作用効果は有していない。
【実施例３】
【００４１】
実施例３の遊技用椅子１は、背もたれ部２の枠フレーム部１１に、視角度に応じて色彩が変化する編物生地１５Ｃ（図６）を取り付けたものであり、該編物生地１５Ｃで枠フレーム部１１の開口部１２を覆うことにより編物シート部１３Ｃが形成されている。尚、本実施例３は、編物生地１５Ｃが異なる以外は上述の実施例１と同じであることから、同じ構成要素には同じ符号を記し、その説明を適宜省略する。
【００４２】
編物生地１５Ｃは、図６に示すように、ポリエステル等の樹脂製フィラメントがメッシュ状に編成されたメッシュベース（図示せず）に、一方向に連続する細帯状部２５が並列状に編み込まれた構成からなり、ダブルラッセル編み製のものである。ここで、細帯状部２５は、前記メッシュベースに、相互に異なる二色の単色糸２６ａ，２６ｂが夫々一方向に連続状に並べて編み込まれると共に、該メッシュベースに編み込まれた当該二色の単色糸２６ａ、２６ｂの背面側に、当該二色の単色糸２６ａ，２６ｂの境界に沿って、当該二色以外の所定色の単色糸２７が連続状に編み込まれたものである。この編物生地１５Ｃは、表面で、前記二色の単色糸２６ａ，２６ｂが交互に並んで露出しており、背面で、当該二色の単色糸２６ａ，２６ｂよりも所定色の単色糸２７が突出している。尚、本実施例にあって、表面側の二色の単色糸２６ａ，２６ｂには、オレンジ色の単色糸２６ａと黄緑色の単色糸２６ｂとを用いており、背面側の所定色の単色糸２７には、黒色の単色糸２７を用いている。
【００４３】
こうした編物生地１５Ｃとして、本実施例では、東レ株式会社製のカメレオイドメッシュ（Chameleoid Mesh  品番＃３Ａ０４）を使用した。この編物生地１５Ｃは、図６（Ａ）に示すように、表面で、前記したオレンジ色と黄緑色との縞模様が表現される。一方、背面では、図６（Ｂ）に示すように、該オレンジ色と黄緑色との各単色糸２６ａ，２６ｂが露出し且つ当該二色の境界に黒色の単色糸２７が背側に突出していることから、背面を正視すると、これらオレンジ色と黄緑色と黒色との縞模様に見え、上記した単色糸の一方向に対して斜めから視ると、その角度（以下、視角度という）に応じて、黒色の単色糸２７がオレンジ色または黄緑色の単色糸２６ａ，２６ｂを部分的または全体的に隠すため、該オレンジ色または黄緑色で見えたり、該オレンジ色と黄緑色との虹縞状に見えたりする。このように編物生地１５Ｃは、その背面が、前記視角度に応じて異なる色彩で表現される。
【００４４】
上記の編物生地１５Ｃは、上述した実施例１と同様に、枠フレーム部１１に取り付けられて、背もたれ部２が形成される。ここで、編物生地１５Ｃは、その背面が、枠フレーム部１１の開口部１２から背側に露出するように取り付けられる。また、本実施例３では、編物生地１５Ｃを、その単色糸２６ａ，２６ｂ，２７の連続する一方向が背もたれ部２の上下方向に沿うようにして、枠フレーム部１１に取り付けられる。
【００４５】
本実施例３の遊技用椅子１は、上述したように、遊技場で、遊技島８１に設置された遊技機９１に夫々対向し、隣合う遊技島８１間で背中合わせに夫々配置される。そのため、通路８６の右側に配置された遊技用椅子１と左側に配置された遊技用椅子１とでは、夫々の編物シート部１３Ｃの色彩が異なって見える。すなわち、左右一側の遊技用椅子１の背もたれ部２では、その背面の編物シート部１３Ｃがオレンジ色を主体とした色彩に見える一方、他側の遊技用椅子１の背もたれ部２では、その背面の編物シート部１３Ｃが黄緑色を主体とした色彩に見える。さらに、遊技用椅子１は遊技島８１に沿って複数並んで配置されていることから、視る位置との距離に応じて横方向の視角度が異なるため、オレンジ色または黄緑色の一色に見えるものや、該オレンジ色および黄緑色の虹縞状に見えるものがある。また、通路を移動していくと、夫々の遊技用椅子１との距離が変わることから、前記視角度が変化し、各遊技用椅子１の編物シート部１３Ｃの背面の色彩も段々と変化して見える。また、遊技用椅子１が常態から回転すると、その回転角度に応じて、編物シート部１３Ｃの背面の色彩も変化する。
【００４６】
このように本実施例３の遊技用椅子１によれば、その背もたれ部２の編物シート部１３Ｃの背面が、遊技者の視角度に応じて異なる色彩で表現されると共に、通路８６の移動に伴って該色彩が変化したり、回転によって該色彩が変化することから、遊技場に従来に無い斬新な装飾効果を生じさせ得る。こうした新たな装飾効果が遊技用椅子１により生ずることで、遊技場全体としての装飾効果を飛躍的に向上させることができる。
【００４７】
また、本実施例３の遊技用椅子１は、その背もたれ部２の表面がオレンジ色と黄緑色との縞模様で表現されることから、該背もたれ部２の表面と背面とで互いに異なる色彩を有している。そのため、上述した実施例１，２と同様に、通路８６側から背面を見たときと、着座する際に表面を見たときとで、遊技者に異なる印象を与えることができる。さらに、回転すると、他の常態のものと異なって見えることから、空席を見つけ易くなるという利点も生ずる。
【実施例４】
【００４８】
実施例４の遊技用椅子１は、背もたれ部２の枠フレーム部１１に、表裏で色の異なる帯状編み部３１を並列状に編成してなる編物生地１５Ｄ（図７）が取り付けられたものであり、該編物生地１５Ｄで枠フレーム部１１の開口部１２を覆うことにより編物シート部１３Ｄが形成されている。尚、本実施例３は、編物生地１５Ｄが異なる以外は上述の実施例１と同じであることから、同じ構成要素には同じ符号を記し、その説明を適宜省略している。
【００４９】
編物生地１５Ｄは、図７に示すように、並列状に編成された帯状編み部３１が、所定色の糸で構成される細帯状の表帯部３２ａと、該表帯部３２ａと異なる色の糸で構成される細帯状の裏帯部３２ｂとを表裏で重ね合わせてなり、各帯状編み部３１が図示しない連結糸により連結されたダブルラッセル編み製のものである。ここで、本実施例４では、表帯部３２ａが黒色の単色糸で編み込まれた構成であると共に、裏帯部３２ｂが緑色の単色糸と灰色の単色糸とで編み込まれた構成である。そのため、編物生地１５Ｄは、表面が主に黒色で表現され、背面が主に薄緑色（緑色と灰色との混色）で表現される。
【００５０】
さらに、編物生地１５Ｄは、図７（Ａ）に示すように、裏帯部３２ｂを構成する緑色の単色糸を、部分的に表帯部に露出するように編み込んでいる。そして、この緑色の単色糸を表側に露出させる位置を、該露出部位によって所定の図柄３５が形成されるように設定している。これにより、編物生地１５Ｄは、黒色の表面に、緑色の図柄３５が表現されたものとなる。ここで、本実施例４では、この図柄３５を、遊技機及び／又は遊技場の名称を示すものとしており、当該名称の報知効果（宣伝効果）を生じさせている。尚、本実施例では、前記のように裏帯部３２ｂの緑色の単色糸を表側に露出させると、図７（Ｂ）のように、表帯部３２ａの黒色の単色糸が裏側に露出してしまう。そのため、編物生地１５Ｄは、薄緑色の背面に、前記図柄の表裏逆向きの図柄（図示せず）が黒色で表現される。
【００５１】
また、本実施例４の編物生地１５Ｄでは、図７（Ａ）に示すように、裏帯部３２ｂを構成する灰色の単色糸を、表帯部に部分的に露出させて、格子状の図柄３６ａを形成している。すなわち、編物生地１５Ｄの表面には、格子状の図柄３６ａが灰色で表現されたものとなる。そして、上述したように、編物生地１５Ｄの背面には、図７（Ｂ）に示すように、表面に灰色の単色糸を露出した部分で、表帯部３２ａを構成する黒色の単色糸が露出して、表側と表裏一体の格子状の図柄３６ｂが表現される。尚、こうした表面と裏面とに表現される図柄３６ａ，３６ｂは、夫々に色が異なることから、編物生地１５Ｄは、表面と背面とが異なる色彩で表現されている。
【００５２】
こうした編物生地１５Ｄは、上述した実施例１と同様に、枠フレーム部１１に取り付けられて、背もたれ部２が形成される。ここで、編物生地１５Ｄは、帯状編み部３１の表帯部３２ａを表側かつ裏帯部３２ｂを裏側とするように、枠フレーム部１１に取り付けられることで、背もたれ部２の表面が黒色主体の色彩となり且つ開口部１２から露出する背面が薄緑色主体の色彩となる。また、本実施例では、遊技機や遊技場の名称を示す図柄３５が、開口部１２の外側に位置するように（枠フレーム部１１と重なるように）、編物生地１５Ｄが位置決めされている。これにより、前記図柄が、背もたれ部２の表面でのみ表れ、逆文字となって表れる背面では開口部１２から露出しない。尚、上記した格子状の図柄３６ａ，３６ｂは、背もたれ部２の表裏両側で夫々異なる色彩により表現される。
【００５３】
本実施例４の遊技用椅子１にあっても、上述した実施例１と同様に、通路８６側から背面を見たときと、着座する際に表面を見たときとで、遊技者に異なる印象を与えることができる。また、常態から回転すると、通路８６側から背もたれ部２の表面が見え、他の常態のものと色彩が異なって見えることから、上述した実施例１と同様に、遊技場の装飾効果を大きく向上できると共に、空席を見つけ易くなるという利点も生ずる。さらに、図柄３５の示す情報を遊技者に報知でき、高い報知効果（宣伝効果）がある。このように本実施例４の構成にあっても、上述した実施例１と同様の作用効果を奏し得る。
【００５４】
本考案は、上述した実施例１〜４の形態に限らず本考案の要旨を逸脱しない範囲内において種々変更を加えることができる。
例えば、実施例１，２にあって、各編物生地１５Ａ，１５Ｂの表面の色と背面の色とは、上述した色に限定されず、様々に設定することが可能である。同様に、実施例３，４にあって、各編物生地１５Ｃ，１５Ｄに使用する糸の色も、上述した色に限定されず、様々に設定できる。
また、各実施例１〜４にあって、編物生地１５Ａ〜１５Ｂを、表裏逆に枠フレーム部１１に取り付けても良い。
また、上述した実施例２にあっては、裏側編み層のみをカチオン可染糸で編成したものであるが、表側編み層と裏側編み層との両者をカチオン可染糸で夫々編成することもできる。この場合には、表側編み層のカチオン可染糸と裏側編み層のカチオン可染糸とが、互いに異なる色のカチオン染料で染色されるものとする。
また、上述した実施例３にあって、編物生地１５Ｃを表裏逆にして枠フレーム部１１に取り付けても良い。この構成の遊技用椅子１では、遊技機９１に対面する表面が、視角度に応じて色彩が異なる。そのため、遊技者が遊技用椅子１の左側から腰掛ける場合と右側から腰掛ける場合とで色彩が異なると共に、腰掛ける際に該遊技用椅子１を視る位置と角度とに応じて該色彩が変化して見える。
【符号の説明】
【００５５】
１  遊技用椅子
２  背もたれ部
３  着座水平部
４  脚部
１１  枠フレーム部
１２  開口部
１３Ａ〜１３Ｄ  編物シート部
１５Ａ〜１５Ｄ  編物生地
１７  図柄
２１ａ  表側編み層
２１ｂ  裏側編み層
３１  帯状編み部
３２ａ  表帯部
３２ｂ  裏帯部
３５  図柄
【図１】
0003208480.tif 000003
【図２】
0003208480.tif 000004
【図３】
0003208480.tif 000005
【図４】
0003208480.tif 000006
【図５】
0003208480.tif 000007
【図６】
0003208480.tif 000008
【図７】
0003208480.tif 000009